(57)【要約】【課題】光遅延装置等を提供する。【解決手段】光遅延装置１０１の中空ファイバ１０２のコア部の中央には、複数の空洞が配置され、その空洞に囲まれるように、光導波路部が配置され、中空ファイバ１０２を原子蒸気雰囲気１０３内に配置して空洞内を原子蒸気で満たし、中空ファイバ１０２の一端には、伝送すべき信号を光パルスで表現した信号光１０４と、その信号の遅延制御を行うための制御光１０５と、を与え、原子蒸気は少なくとも中間準位、信号側準位、制御側準位の３つを有し、信号光１０４の周波数は信号側準位と中間準位との間の共鳴周波数であり、制御光１０５の周波数は制御側準位と中間準位との間の共鳴周波数であり、信号光１０４の光パルスは制御光１０５を入射することによって遅延され、最大遅延時間を経過するか制御光１０５の入射を停止することによって中空ファイバ１０２の他端から出射される。【選択図】　図１
2004004347.tif 000002
【特許請求の範囲】
【請求項１】
制御光により信号光を遅延させる光遅延装置であって、光導波路部と、媒質部と、を備え、
前記光導波路部は、当該信号光と、当該制御光と、の入射を受け付け、
前記媒質部は、前記光導波路部に当該信号光が入射された場合、そのエバネッセントモードが存在する領域に配置され、当該媒質部が有する媒質は、少なくとも中間準位と、信号側準位と、制御側準位と、の３つの準位を有し、
前記入射される信号光の周波数ωｐは、当該信号側準位と当該中間準位との間の共鳴周波数ωａに等しく、
前記入射される制御光の周波数ωｃは、当該制御側準位と当該中間準位との間の共鳴周波数ωｂに等しく、
前記光導波路部は、当該制御光が入射された場合、当該入射された信号光の光パルスを遅延し、その後当該制御光の入射を停止した場合、もしくは、所定の遅延時間が経過した後に、当該遅延された光パルスを出射する
ことを特徴とするもの。
【請求項２】
請求項１に記載の光遅延装置であって、
前記光導波路部は、光ファイバの中実コア部であり、
前記媒質部は、当該光ファイバの中実コア部の周囲に配置された中空部に当該媒質を満たしたものである
ことを特徴とするもの。
【請求項３】
請求項１に記載の光遅延装置であって、
前記光導波路部は、光ファイバのコア部であり、
前記媒質部は、当該光ファイバの周囲に当該媒質を満たしたものである
ことを特徴とするもの。
【請求項４】
請求項３に記載の光遅延装置であって、
当該光ファイバのコア部は、当該光ファイバの中心からずれて配置される
ことを特徴とするもの。
【請求項５】
請求項１に記載の光遅延装置であって、
当該光遅延装置は、平面導波路において構成され、
当該媒質部は、当該平面導波路の周囲に当該媒質を満たしたものである
ことを特徴とするもの。
【請求項６】
請求項２から５のいずれか１項に記載の光遅延装置であって、
当該媒質は原子蒸気、分子蒸気、もしくは、液体であり、
当該光遅延装置を、当該媒質雰囲気に置くことにより、当該媒質を満たす
ことを特徴とするもの。
【請求項７】
請求項２に記載の光遅延装置であって、
当該媒質は原子蒸気、分子蒸気、液体、もしくは、有機結晶であり、当該中空部に密封される
ことを特徴とするもの。
【請求項８】
請求項１から７のいずれか１項に記載の光遅延装置であって、
当該中間準位、当該信号側準位、および当該制御側準位のいずれか少なくとも一つは、エネルギー的に縮退している
ことを特徴とするもの。
【請求項９】
請求項１から７のいずれか１項に記載の光遅延装置であって、
当該中間準位、当該信号側準位、および当該制御側準位のいずれか少なくとも一つは、バンド構造を有する
ことを特徴とするもの。
【請求項１０】
請求項１から７のいずれか１項に記載の光遅延装置であって、
当該入射される制御光の強度を調整して、当該所定の遅延時間を変化させる
ことを特徴とするもの。
【請求項１１】
光導波路部と、媒質部と、を用いて、制御光により信号光を遅延させる光遅延方法であって、
光導波路部に当該信号光を入射する入射工程と、
当該光導波路部に当該制御光を入射して、当該入射された信号光の光パルスを遅延させる制御工程と、
を備え、
当該媒質部は、当該光導波路部に当該信号光が入射された場合、そのエバネッセントモードが存在する領域に配置され、当該媒質部が有する媒質は、少なくとも中間準位と、信号側準位と、制御側準位と、の３つの準位を有し、
前記入射される信号光の周波数ωｐは、当該信号側準位と当該中間準位との間の共鳴周波数ωａに等しく、
前記入射される制御光の周波数ωｃは、当該制御側準位と当該中間準位との間の共鳴周波数ωｂに等しく、
当該制御光を入射して当該入射された信号光の光パルスを遅延した後、当該制御光の入射を停止した場合、もしくは、所定の遅延時間が経過した場合に、当該媒質部から、当該遅延された光パルスが出射される
ことを特徴とする方法。
【請求項１２】
請求項１１に記載の光遅延方法であって、
当該入射される制御光の強度を調整して、当該所定の遅延時間を変化させる調整工程
をさらに備えることを特徴とする方法。
【発明の詳細な説明】
【０００１】
【発明の属する技術分野】
本発明は、光遅延装置、ならびに、光遅延方法に関する。
【０００２】
【従来の技術】
光通信の分野では、従来から、信号を所望の時間だけ遅延させるために種々の技術が提案されている。
【０００３】
たとえば、特開平１０−４１９５１号公報では、異なる長さの光ファイバを複数本用意し、所望の遅延時間に応じて信号を通過させる光ファイバを選択する手法が提案されている。本文献においては、各光ファイバの長さをある長さの定数倍とすることにより、遅延させる時間を所定の単位時間の定数倍の中から選択する。
【０００４】
一方、特開平１１−２３１１４２号公報では、あらかじめ定められた長さを持つ光ファイバを用意し、その実効光路長を変化させて、所望の遅延時間を実現する手法が提案されている。本文献においては、ボビンなどに巻き取られコイル状に設置された光ファイバに応力や熱を与えることで、その実効光路長を変化させて、遅延時間を調整する。
【０００５】
しかしながら、前者の手法においては、所望の遅延時間の種類の数と同じ数の光ファイバを用意する必要があり、装置が大型化する、という問題が生ずる。また、所定の種類のいずれかからしか遅延時間を選べない、という問題がある。
【０００６】
また、後者の手法においては、遅延時間を長くしたい場合には、光ファイバを長くする必要があり、装置が大型化する、という問題が生ずる。このほか、動作速度が遅い、という問題もある。
【０００７】
【発明が解決しようとする課題】
したがって、このような光信号の遅延技術においては、上記の問題にも対応できるような新しい技術、特に、遅延させた信号を所望のタイミングで取り出せるような光バッファ機能を実現するのに好適な技術が常に求められている。
【０００８】
本発明は、以上の課題を解決するためになされたもので、光遅延装置、ならびに、光遅延方法を提供することを目的とする。
【０００９】
【課題を解決するための手段】
以上の目的を達成するため、本発明の原理にしたがって、下記の発明を開示する。
【００１０】
本発明の第１の観点に係る光遅延装置は、制御光により信号光を遅延させ、光導波路部と、媒質部と、を備え、以下のように構成する。
【００１１】
すなわち、光導波路部は、当該信号光と、当該制御光と、の入射を受け付ける。
【００１２】
一方、媒質部は、光導波路部に当該信号光が入射された場合、そのエバネッセントモードが存在する領域に配置され、当該媒質部が有する媒質は、少なくとも中間準位と、信号側準位と、制御側準位と、の３つの準位を有する。
【００１３】
また、入射される信号光の周波数ωｐは、当該信号側準位と当該中間準位との間の共鳴周波数ωａに等しい。
【００１４】
さらに、入射される制御光の周波数ωｃは、当該制御側準位と当該中間準位との間の共鳴周波数ωｂに等しい。
【００１５】
そして、光導波路部は、当該制御光が入射された場合、当該入射された信号光の光パルスを遅延し、その後当該制御光の入射を停止した場合、もしくは、所定の遅延時間が経過した後に、当該遅延された光パルスを出射する。
【００１６】
また、本発明の光遅延装置において、光導波路部は、光ファイバの中実コア部であり、媒質部は、当該光ファイバの中実コア部の周囲に配置された中空部に当該媒質を満たしたものであるように構成することができる。
【００１７】
また、本発明の光遅延装置において、光導波路部は、光ファイバのコア部であり、媒質部は、当該光ファイバの周囲に当該媒質を満たしたものであるように構成することができる。
【００１８】
また、本発明の光遅延装置において、当該光ファイバのコア部は、当該光ファイバの中心からずれて配置されるように構成することができる。
【００１９】
また、本発明の光遅延装置において、当該光遅延装置は、平面導波路において構成され、当該媒質部は、当該平面導波路の周囲に当該媒質を満たしたものであるように構成することができる。
【００２０】
また、本発明の光遅延装置において、当該媒質は原子蒸気、分子蒸気、もしくは、液体であり、当該光遅延装置を、当該媒質雰囲気に置くことにより、当該媒質を満たすように構成することができる。
【００２１】
また、本発明の光遅延装置において、当該媒質は原子蒸気、分子蒸気、液体、もしくは、有機結晶であり、当該中空部に密封されるように構成することができる。
【００２２】
また、本発明の光遅延装置において、当該中間準位、当該信号側準位、および当該制御側準位のいずれか少なくとも一つは、エネルギー的に縮退しているように構成することができる。
【００２３】
また、本発明の光遅延装置において、当該中間準位、当該信号側準位、および当該制御側準位のいずれか少なくとも一つは、バンド構造を有するように構成することができる。
【００２４】
また、本発明の光遅延装置は、当該入射される制御光の強度を調整して、当該所定の遅延時間を変化させるように構成することができる。
【００２５】
本発明の他の観点に係る光遅延方法は、光導波路部と、媒質部と、を用いて、制御光により信号光を遅延させ、入射工程と、制御工程と、を備え、以下のように構成する。
【００２６】
すなわち、入射工程では、光導波路部に当該信号光を入射する。
【００２７】
一方、制御工程では、当該光導波路部に当該制御光を入射して、当該入射された信号光の光パルスを遅延させる。
【００２８】
さらに、当該媒質部は、当該光導波路部に当該信号光が入射された場合、そのエバネッセントモードが存在する領域に配置され、当該媒質部が有する媒質は、少なくとも中間準位と、信号側準位と、制御側準位と、の３つの準位を有する。
【００２９】
そして、入射される信号光の周波数ωｐは、当該信号側準位と当該中間準位との間の共鳴周波数ωａに等しい。
【００３０】
また、入射される制御光の周波数ωｃは、当該制御側準位と当該中間準位との間の共鳴周波数ωｂに等しい。
【００３１】
さらに、当該制御光を入射して当該入射された信号光の光パルスを遅延した後、当該制御光の入射を停止した場合、もしくは、所定の遅延時間が経過した場合に、当該媒質部から、当該遅延された光パルスが出射される。
【００３２】
本発明の光遅延方法は、調整工程をさらに備え、以下のように構成することができる。
【００３３】
すなわち、調整工程では、当該入射される制御光の強度を調整して、当該所定の遅延時間を変化させる。
【００３４】
【発明の実施の形態】
以下に本発明の一実施形態を説明する。なお、以下に説明する実施形態は説明のためのものであり、本発明の範囲を制限するものではない。したがって、当業者であればこれらの各要素もしくは全要素をこれと均等なものに置換した実施形態を採用することが可能であるが、これらの実施形態も本発明の範囲に含まれる。
【００３５】
（第１の実施形態）
図１は、本発明の光遅延装置の第１の実施形態の概要構成を示す模式図である。以下、本図を参照して説明する。
【００３６】
本図に示す光遅延装置１０１は、中空ファイバ１０２を原子蒸気雰囲気１０３内に配置している。
【００３７】
中空ファイバ１０２は、フォトニッククリスタルファイバ（特開２００２−５５２４１等を参照。）、ホーリーファイバなどとも呼ばれるもので、コア部分に空洞（中空部）が設けられている。中空ファイバ１０２では、高い非線型性が得られるため、光パルス圧縮の分野で用いられているものである。図２は、中空ファイバ１０２の断面図である。以下、本図を参照して説明する。
【００３８】
中空ファイバ１０２の断面では、中央にコア部２０１が配置され、その周囲をクラッディング部２０２が覆っている。
【００３９】
コア部２０１の中央には、ファイバの長手方向にパイプ状に複数の空洞（中空部）２０３が配置され、その空洞２０３に囲まれるように、光導波路部（中実部）２０４が配置されている。
【００４０】
尚、本図では、コア部２０１の大きさを強調して表示してあり、各部の寸法や数は、種々の態様を任意に採用することができる。
【００４１】
中空ファイバ１０２を原子蒸気雰囲気１０３内に配置すると、その空洞２０３内が当該原子蒸気で満たされることになる。
【００４２】
光導波路部２０４を光信号が通過すると、そのエネルギーの一部がエバネッセントモードとして空洞２０３内に染み出すように現われる。したがって、エバネッセントモードと原子蒸気とのＥＩＴによる相互作用が生ずる。
【００４３】
中空ファイバ１０２の一端には、伝送すべき信号を光パルスで表現した信号光１０４が与えられる。さらに、その信号の遅延制御を行うための制御光１０５が、中空ファイバのいずれかの一端から与えられる。一方、信号光１０４を与えた中空ファイバ１０２の一端と異なる他端からは、信号光１０４に対応する出射光１０６が出射されることとなる。
【００４４】
本図には、信号光１０４と制御光１０５とを、異なる端から与える場合を示してある。
【００４５】
さて、信号光１０４を入射する一方で、制御光１０５は一切入射しない場合を考えると、この場合は、中空ファイバ１０２の光導波路部２０４は、そのまま信号光１０４を通過させ、他端から信号光１０４を出射する。したがって、信号光１０４は、中空ファイバ１０２の実効光路長分だけ遅延することとなる。これが最小遅延時間となる。すなわち、出射光１０６の出力は、信号光１０４の入力に対して最小遅延時間だけ遅延したものとなる。
【００４６】
一方、信号光１０４を入射しつつ、制御光１０５の入射を開始すると、ＥＩＴにより、光導波路部２０４内を伝搬する信号光１０４の群速度が低下する。たとえば、信号光１０４と制御光１０５とが対向している場合などにおいても、信号光１０４によって表現されるある光パルスが光導波路部２０４の一端を通過した時点で、既に、制御光１０５が入射され、光導波路２０４の全体に存在していたとすると、この光パルスの群速度が低下することとなる。
【００４７】
したがって、制御光１０５の入射をそのまま続ければ、低下した群速度で中空ファイバ１０２の実効光路長を割った時間だけ信号光１０４が遅延することとなる。これが最大遅延時間となる。すなわち、この場合は、出射光１０６の出力は、信号光１０４の入力に対して最大遅延時間だけ遅延したものとなる。
【００４８】
また、最大遅延時間を経過する前に、制御光１０５の入射を停止すれば、その後は、通常の群速度で信号光１０４が光導波路部２０４を通過することとなる。したがって、制御光１０５の入射を停止するタイミングを変化させることにより、信号光１０４の遅延時間を、上記最小遅延時間から上記最大遅延時間までの間で自由に連続的に変化させた出射光１０６を得ることができる。また、遅延時間の変更に対する即応性も良好である。
【００４９】
尚、後述する文献に示される諸元を利用すると、光の群速度は１７ｍ／ｓにまで低下させることができる。最大遅延時間を５００ｎｓとした場合には、中空ファイバ１０２の長さは８．５μｍで済むこととなり、装置の小型化を図ることもできる。また、光ファイバを用いることで、光電界強度を高めてラビ周波数を増加させることができるため、スペクトル幅の広い短パルス信号の伝送の遅延制御が可能になる。
【００５０】
尚、上記実施形態では、原子蒸気雰囲気１０３内に中空ファイバ１０２を配置することにより、空洞２０３に原子蒸気を満たしたが、ＥＩＴが生ずるような分子蒸気雰囲気を利用したり、ＥＩＴが生ずるような液体に中空ファイバを浸して空洞２０３内にこれらの媒質を満たすことにより、同様の効果を得ることができる。
【００５１】
また、原子蒸気雰囲気１０３や分子蒸気雰囲気を用いずに、空洞２０３内にＥＩＴが生ずるような原子蒸気、分子蒸気、液体、有機結晶をあらかじめ充填密封しておいてもよい。この場合は、通常の光ファイバと同様に扱うことができ、可搬性や工作性を向上させることができる。
【００５２】
尚、光導波路部２０４に対して信号光１０４と制御光１０５とを同じ方向に入射する必要はない。むしろ、信号光１０４と制御光１０５は、光導波路部２０４のそれぞれ異なる端から対向する方向に入射する方が好ましい。また、信号光１０４を入射する方向と直交する方向から制御光１０５を入射／入射停止することとしてもよい。これらの場合には、その出射出力から制御光１０５成分を除去する必要がなくなる。
【００５３】
また、制御光１０５の強度を調整すると、最大遅延時間を変更することが可能である。したがって、製造に伴う誤差を、制御光１０５の強度調整により較正・補償することもできる。
【００５４】
（他の実施形態）
上記実施形態では、中空ファイバ１０２の空洞２０３にＥＩＴを生じさせるような媒質を満たすことにより、光遅延を制御した。本実施形態は、光導波路部を適切に配置することにより、偏心ファイバやプレーナ型導波路（平面導波路）において同様の効果を得るものである。
【００５５】
図３は、偏心ファイバを用いた光遅延回路の実施形態の断面図である。以下、本図を参照して説明する。
【００５６】
偏心ファイバ３０１の光導波路部３０２は、その中央から偏心して配置されている。したがって、光導波路部３０２を光信号が通過すると、光導波路部３０２の周囲のクラッディング部３０３のさらに外側（偏心ファイバ３０１の外側）にエバネッセントモードが生ずる領域３０４（図中の点線で囲まれた領域）が染み出すこととなる。
【００５７】
したがって、偏心ファイバ３０１をＥＩＴを生ずるような原子蒸気雰囲気３０５内に配置することにより、上記実施形態と同様に光遅延を生じさせることができる。
【００５８】
図４は、プレーナ型導波路を用いた光遅延回路の実施形態の断面図である。以下、本図を参照して説明する。
【００５９】
プレーナ型導波路４０１の光導波路部４０２を光信号が通過した場合にエバネッセントモードが染み出す領域４０４（図中の点線で囲まれた領域）が、プレーナ型導波路４０１のクラッディング部４０３の外側（プレーナ型導波路４０１の外側）にもあるように、プレーナ型導波路４０１を構成する。上記偏心ファイバ３０１の場合と同様に、プレーナ型導波路４０１をＥＩＴを生ずるような原子蒸気雰囲気４０５内に配置することにより、上記実施形態と同様に光遅延を生じさせることができる。
【００６０】
なお、上記偏心ファイバ３０１やプレーナ型導波路４０１をＥＩＴを生ずるような液体に浸したり、有機結晶内に配置したりすることによっても、同様の効果を得ることができる。
【００６１】
（光バッファ装置の実施形態）
図５、図６は、光遅延装置を用いた光バッファ装置の概要構成を示す模式図である。以下、本図を参照して説明する。
【００６２】
光バッファ装置５０１は、スケジュール部５０２と、複数のポート部５０３と、送出部５０４と、を備える。
【００６３】
スケジュール部５０２は、光パケットなどの光信号を受け付けるが、衝突の可能性がある光パケット同士のスケジューリングを行う。
【００６４】
そして、バッファリングの必要がある場合は、その光信号５０５と、遅延時間情報５０６と、を空いているポート部５０３に送出する。
【００６５】
ポート部５０３は、光信号５０５と遅延時間情報５０６とを受け付ける。光信号５０５は上記の光遅延装置１０１へ与えられる。
【００６６】
遅延時間情報５０６は、制御光源５０８の駆動部５０９に与えられ、制御光源５０８が発した光は、光サーキュレータ５０７を介して、上記の光遅延装置１０１に与えられる。
【００６７】
また、光遅延装置１０１から出射される光信号は、光サーキュレータ５０７を介してポート部５０３の出力となる。
【００６８】
制御光源５０８が駆動していない場合は、光遅延装置１０１の最小遅延時間だけ通過時間がかかる。一方、制御光源５０８を適切なタイミングで駆動すると、通過時間を増大させることができる。一方、制御光源５０８を駆動するのを停止すれば、群速度遅延効果は消失して、直ちに光信号が出射されることとなる。
【００６９】
したがって、所望の遅延時間が経過した後に、光遅延装置１０１から光信号が出射されるように、駆動部５０９が制御光源５０８を制御することにより、光信号のバッファリングを行うことができる。
【００７０】
光遅延装置１０１から出射された光信号がポート部５０３の出力となり、これは、送出部５０４に与えられ、送出部５０４からバッファリングされた光信号が出力される。
【００７１】
（理論的背景）
本発明は、光ファイバ等の光導波路中を伝送される光信号のエネルギーがＥＩＴ（Ｅｌｅｃｔｒｏｍａｇｎｅｔｉｃ　Ｉｎｄｕｃｅｄ　Ｔｒａｎｓｐａｒｅｎｃｙ）により媒質を相互作用するのを利用して、光遅延を実現するものである。なお、ＥＩＴについては、すでに文献Ｌ．Ｖ．Ｈａｕ，Ｓ．Ｅ．Ｈａｒｒｉｓ，Ｘ．Ｄｕｔｔｅｎ　ａｎｄ　Ｃ．Ｂｅｈｒｏｏｚｉ「Ｎａｔｕｒｅ　（Ｌｏｎｄｏｎ）」Ｎｏ．３９７，ｐｐ．５９４　（１９９９）や、Ｐ．Ｒ．Ｈｅｍｍｅｒ，Ｋ．Ｚ．Ｃｈｅｎｇ　ａｎｄ　Ｊ．Ｋｉｅｒｓｔｅａｄ「Ｏｐｔｉｃ　Ｌｅｔｔｅｒｓ」Ｖｏｌ．１９，Ｎｏ．４，ｐｐ．２９６−２９８　（１９９４）などに実験的な報告がなされている。
【００７２】
図７は、ＥＩＴを生じさせる条件を説明する説明図である。以下、本図を参照して説明する。
【００７３】
原子蒸気、分子蒸気、液体、有機結晶などの媒質は、中間準位６０１、信号側準位６０２、制御側準位６０３の３つの準位を有する。ＥＩＴを生じさせるには、以下の２つの条件が満たされるようにすればよい。
（１）信号光の周波数ωｐは、信号側準位６０２と中間準位６０１との間の共鳴周波数ωａに等しい。
（２）制御光の周波数ωｃは、制御側準位６０３と中間準位６０１との間の共鳴周波数ωｂに等しい。
【００７４】
なお、中間準位６０１、信号側準位６０２、および制御側準位６０３は、いずれも、エネルギー的に縮退していてもよいし、していなくともよい。また、これらは、いずれも、バンド構造を有していてもよいし、していなくともよい。また、中間準位６０１と、信号側準位６０２と、制御側準位６０３のエネルギー的な上下関係は、いずれが上位であってもよい。
【００７５】
図７に示すものはΛ型準位と呼ばれるものであるが、図８、図９に示すＶ型、Ξ型と呼ばれるような準位の関係であっても、上記条件が満たされれば、ＥＩＴが生ずることとなる。
【００７６】
このような条件を満たすことにより、ＥＩＴが生ずることとなると、本発明の光遅延が実現できることとなる。
【００７７】
【発明の効果】
以上説明したように、本発明によれば、光遅延装置、ならびに、光遅延方法を提供することができる。
【図面の簡単な説明】
【図１】
本発明の光遅延装置の第１の実施形態の概要構成を示す模式図である。
【図２】
中空ファイバの断面図である。
【図３】
偏心ファイバを用いた光遅延回路の実施形態の断面図である。
【図４】
プレーナ型導波路を用いた光遅延回路の実施形態の断面図である。
【図５】
光バッファ装置の実施形態の概要構成を示す模式図である。
【図６】
光バッファ装置の実施形態の概要構成の詳細を示す模式図である。
【図７】
ＥＩＴを生じさせる条件を説明する説明図である。
【図８】
ＥＩＴを生じさせる条件を説明する説明図である。
【図９】
ＥＩＴを生じさせる条件を説明する説明図である。
【符号の説明】
１０１　光遅延回路
１０２　中空ファイバ
１０３　原子蒸気雰囲気
１０４　信号光
１０５　制御光
１０６　出射光
２０１　コア部
２０２　クラッディング部
２０３　空洞
２０４　光導波路部
３０１　偏心ファイバ
３０２　光導波路部
３０３　クラッディング部
３０４　エバネッセントモード領域
３０５　原子蒸気雰囲気
４０１　プレーナ型導波路
４０２　光導波路部
４０３　クラッディング部
４０４　エバネッセントモード領域
４０５　原子蒸気雰囲気
５０１　光バッファ装置
５０２　スケジュール部
５０３　ポート部
５０４　送出部
５０５　光信号
５０６　遅延時間情報
５０７　光サーキュレータ
５０８　制御光源
５０９　駆動部
６０１　中間準位
６０２　信号側準位
６０３　制御側準位
【図１】
2004004347.tif 000003
【図２】
2004004347.tif 000004
【図３】
2004004347.tif 000005
【図４】
2004004347.tif 000006
【図５】
2004004347.tif 000007
【図６】
2004004347.tif 000008
【図７】
2004004347.tif 000009
【図８】
2004004347.tif 000010
【図９】
2004004347.tif 000011